(57)【要約】【課題】強度を向上させた竹材を用いた直交集成板を提供することである。【解決手段】直交集成板１０は、平行層１１と平行層１３と直交層１２を備えている。平行層１１と平行層１３は、木質の板で構成される複数の木板ａ１と竹質の板で構成される複数の竹板ｂ１とを有している。木板ａ１の木質の繊維方向と竹板ｂ１の竹質の繊維方向が互いに略平行となるように。木板ａ１と竹板ｂ１が接着される。木板ａ１と木板ａ１の間に竹板ｂ１が配される。【選択図】図１
2018086816.tif 000002
【特許請求の範囲】
【請求項１】
平行層と直交層を積層接着してからなる直交集成板であって、
前記平行層は、木質の板または木質の小角材で構成される複数の第一の部材と竹質の板または竹質の小角材で構成される複数の第二の部材を有し、
前記第一の部材の木質の繊維方向と前記第二の部材の竹質の繊維方向が互いに略平行となるように前記第一の部材と前記第二の部材が接着され、前記第一の部材と前記第一の部材の間に前記第二の部材を配する、ことを特徴とする直交集成板。
【請求項２】
平行層と直交層を積層接着してからなる直交集成板であって、
竹質の板または竹質の小角材で構成される第一の平行層と木質の板または木質の小角材で構成される第二の平行層と竹質の板または竹質の小角材で構成される第一の直交層を備え、
前記第一の平行層と前記第一の直交層の間に前記第二の平行層を配し、前記第一の平行層が最も外側の表層となる、ことを特徴とする直交集成板。
【請求項３】
木材で構成された平行層及び直交層を積層接着してからなる直交集成板であって、
表面に竹の繊維を含有する樹脂ボードを配する、ことを特徴とする直交集成板。
【請求項４】
竹質の板または竹質の小角材で構成される平行層と竹質の板または竹質の小角材で構成される直交層を積層接着してからなる、直交集成板。
【発明の詳細な説明】
【技術分野】
【０００１】
本発明は、竹材を用いた直交集成板に関する。
【背景技術】
【０００２】
従来、竹材を木材とともに積層した集成材が知られている（例えば、特許文献１）。
また、木材単板をその木材繊維方向を直交させて積層接着してなる直交集成板が知られている（例えば、特許文献２）。
【先行技術文献】
【特許文献】
【０００３】
【特許文献１】特開２００１−１３８３０５号公報
【特許文献２】特開平１１−２４０００１号公報
【発明の概要】
【発明が解決しようとする課題】
【０００４】
しかし、特許文献１に示す集成材には、木材と竹材で構成される集成材であるが、木材と竹材の繊維方向を同一にしているため、繊維方向に対する引張強度や圧縮強度は確保されるものの繊維方向と異なる方向（特に繊維を切り剥がす方向）に対する強度が不足する問題がある。また、特許文献２に示す木材のみで構成される集成材は、木材繊維方向を直交させて積層接着してなる直交集成板であるが、強度に改良の余地がある。
【０００５】
本発明の目的は、従来の直交集成板と比較して強度を向上させた直交集成板を提供することで経済性と汎用性を満足させることである。従来の直交集成板よりも強度を向上させた集成板を実現することで、木材の使用量を少なくすることができるため、低コストとなり経済性を満足させることができる。また、従来の直交集成板よりも強度を向上させた集成板を実現することで、厚みを薄くしても全方向の強度が確保できるため、幅広い用途に用いることが可能となり、汎用性を満足させることができる。
【課題を解決するための手段】
【０００６】
上記目的は、平行層（１１、１３）と直交層（１２）を積層接着してからなる直交集成板であって、前記平行層（１１、１３）は、木質の板または木質の小角材で構成される複数の第一の部材（ａ１）と竹質の板または竹質の小角材で構成される複数の第二の部材（ｂ１）を有し、前記第一の部材（ａ１）の木質の繊維方向と前記第二の部材（ｂ１）の竹質の繊維方向が互いに略平行となるように前記第一の部材（ａ１）と前記第二の部材（ｂ１）が接着され、前記第一の部材（ａ１）と前記第一の部材（ａ１）の間に前記第二の部材（ｂ１）を配する、ことを特徴とする直交集成板（１０、２０、３０）によって達成される。
【０００７】
上記目的は、平行層（４１、４２）と直交層（４３）を積層接着してからなる直交集成板であって、竹質の板または竹質の小角材で構成される第一の平行層（４１）と木質の板または木質の小角材で構成される第二の平行層（４２）と竹質の板または竹質の小角材で構成される第一の直交層（４３）を備え、前記第一の平行層（４１）と前記第一の直交層（４３）の間に前記第二の平行層（４２）を配し、前記第一の平行層（４１）が最も外側の表層となる、ことを特徴とする直交集成板（４０）によっても達成される。
【０００８】
上記目的は、木材で構成された平行層（５１、５３）及び直交層（５２）を積層接着してからなる直交集成板であって、表面に竹の繊維を含有する樹脂ボード（ｃ１）を配する、ことを特徴とする直交集成板（５０）によっても達成される。
【０００９】
上記目的は、竹質の板または竹質の小角材で構成される平行層（６１、６３）と竹質の板または竹質の小角材で構成される直交層（６２）を積層接着してからなる、直交集成板（６０）によっても達成される。
【発明の効果】
【００１０】
本発明によれば、従来の直交集成板よりも強度を向上させた直交集成板を実現でき、経済性や汎用性を満足させることができる。また、竹資源の有効活用がなされる。
【図面の簡単な説明】
【００１１】
【図１】本発明の第１の実施形態による直交集成板１０の斜視図である。
【図２】本発明の第２の実施形態による直交集成板２０の斜視図である。
【図３】本発明の第３の実施形態による直交集成板３０の斜視図である。
【図４】本発明の第４の実施形態による直交集成板４０の斜視図である。
【図５】本発明の第５の実施形態による直交集成板５０の斜視図である。
【図６】本発明の第６の実施形態による直交集成板６０の斜視図である。
【発明を実施するための形態】
【００１２】
以下、図１〜図６を用いて、本発明の実施形態による直交集成板（または「直交積層材」ともいう。）を説明する。なお、以下の全ての図面においては、理解を容易にするため、各構成要素の寸法や比率などは適宜異ならせて図示している。
【００１３】
［第１の実施形態］
図１を用いて、本発明の第１の実施形態による直交集成板を説明する。図１は、直交集成板１０の斜視図である。図１に示すように、直交集成板１０は、平行層１１、直交層１２、及び平行層１３を有し、上からこの順番にこれらを積層接着することで形成される。また、直交集成板１０は、３層以上の平行層や２層以上の直交層を有する場合があってもよいし、平行層を連続して積層する場合や直交層を連続して積層する場合があってもよい。なお、各層の積層接着に用いる接着剤としては、たんぱく質系接着剤、合成樹脂系接着剤、合成ゴム系接着剤等が用いられる。
【００１４】
平行層１１、１３のそれぞれは、木材で構成される複数（本実施の形態では３個）の木板ａ１と竹材で構成される複数（本実施の形態では４個）の竹板ｂ１を有する。複数の木板ａ１の木質の繊維方向と複数の竹板ｂ１の竹質の繊維方向のそれぞれが互いに略平行（±４５°の範囲内）となるように複数の木板ａ１と複数の竹板ｂ１を弱軸方向に並べて、木板ａ１の長手方向の端面と竹板ｂ１の長手方向の端面とを接着させ、木板ａ１と木板ａ１の間に竹板ｂ１が配設される。また、木板と竹板の接着に用いる接着剤としては、たんぱく質系接着剤、合成樹脂系接着剤、合成ゴム系接着剤等が用いられる。また、木板ａ１は、複数の小角材で構成されてもよいし、竹板ｂ１は、複数の小角材で構成されてもよい。
【００１５】
直交層１２は、木材で構成される複数（本実施の形態では３個）の木板ａ２と竹材で構成される複数（本実施の形態では４個）の竹板ｂ２を有する。複数の木板ａ２の木質の繊維方向と複数の竹板ｂ２の竹質の繊維方向のそれぞれが互いに略平行（±４５°の範囲内）となるように複数の木板ａ２と複数の竹板ｂ２を強軸方向に並べて、木板ａ２の長手方向の端面と竹板ｂ２の長手方向の端面とを接着させ、木板ａ２と木板ａ２の間に竹板ｂ２が配設される。また、木板と竹板の接着に用いる接着剤としては、たんぱく質系接着剤、合成樹脂系接着剤、合成ゴム系接着剤等が用いられる。また、直交層１２の木板ａ２の木質の繊維方向、及び竹板ｂ２の竹質の繊維方向は、平行層１１、１３の木板ａ１の木質の繊維方向、及び竹板ｂ１の竹質の繊維方向に対して略直角となるように構成される。また、木板ａ２は、複数の小角材で構成されてもよいし、竹板ｂ２は、複数の小角材で構成されてもよい。
【００１６】
このように本実施の形態の直交集成板１０は、平行層及び直交層に木板及び竹板が用いられる。本実施の形態の直交集成板１０のように木板及び竹板を用いることで、従来の木材のみで構成される直交集成板に竹の持つ繊維強度（木材と比較して、単位面積当たりの圧縮強度が１〜２倍程度、引張強度が２〜３倍程度、曲げ強度が３倍程度）が付加されるとともに、竹の特性である水分含有時の寸法安定性も向上する。このため、直交集成板１０は、水分を含有し易い場所（例えば、風呂場や台所等）の建材として好適に用いられる。また、本実施の形態の直交集成板１０は、木板と木板の間に竹板が配設されるため、竹板が緩衝材としても機能する。このため、本実施の形態による直交集成板１０によれば、従来の木材のみで構成される直交集成板に比べて、衝撃による耐久性が向上する構成であるとともに曲げ加工等の加工し易さも向上する場合がある。例えば、竹板部分が節として機能するため、竹板の配列を多くすることで曲げ加工がさらに容易になる。また、本実施の形態の直交集成板１０は、木板の端面に竹板が配設されるため、木板に対する防虫効果や抗菌効果もある。また、本実施の形態の直交集成板１０によれば竹板の質量を全体の数％程度以下に抑えても充分に竹の特性を付加することが可能であり経済的である。また、本実施の形態の直交集成板１０は、従来の木材のみで構成される直交集成板と外形を同一にすることも容易であるため汎用性も備えている。
【００１７】
［第２の実施形態］
図２を用いて、本発明の第２の実施形態による直交集成板を説明する。図２は、直交集成板２０の斜視図である。図２に示すように、直交集成板２０は、平行層２１、直交層２２、及び平行層２３を有し、上からこの順番にこれらを積層接着することで形成される。また、直交集成板１０は、３層以上の平行層や２層以上の直交層を有する場合があってもよいし、平行層を連続して積層する場合や直交層を連続して積層する場合があってもよい。なお、各層の積層接着に用いる接着剤としては、たんぱく質系接着剤、合成樹脂系接着剤、合成ゴム系接着剤等が用いられる。
【００１８】
平行層２１、２３のそれぞれは、木材で構成される複数（本実施の形態では３個）の木板ａ１と竹材で構成される複数（本実施の形態では４個）の竹板ｂ１を有する。複数の木板ａ１の木質の繊維方向と複数の竹板ｂ１の竹質の繊維方向のそれぞれが互いに略平行（±４５°の範囲内）となるように複数の木板ａ１と複数の竹板ｂ１を弱軸方向に並べて、木板ａ１の長手方向の端面と竹板ｂ１の長手方向の端面とを接着させ、木板ａ１と木板ａ１の間に竹板ｂ１が配設される。また、木板と竹板の接着に用いる接着剤としては、たんぱく質系接着剤、合成樹脂系接着剤、合成ゴム系接着剤等が用いられる。また、木板ａ１は、複数の小角材で構成されてもよいし、竹板ｂ１は、複数の小角材で構成されてもよい。
【００１９】
直交層２２は、木材で構成される複数（本実施の形態では３個）の木板ａ２のみで構成される。複数の木板ａ２の木質の繊維方向が互いに略平行（±４５°の範囲内）となるように木板ａ２を強軸方向に並べて、木板ａ２の長手方向の端面同士を接着する。また、木板の接着に用いる接着剤としては、たんぱく質系接着剤、合成樹脂系接着剤、合成ゴム系接着剤等が用いられる。また、直交層２２の木板ａ２の木質の繊維方向は、平行層２１、２３の木板ａ１の木質の繊維方向、及び竹板ｂ１の竹質の繊維方向に対して略直角となるように構成される。また、木板ａ２は、複数の小角材で構成されてもよい。  
【００２０】
このように本実施の形態の直交集成板２０は、平行層に木板及び竹板が用いられ、直交層には木板のみが用いられる。本実施の形態の直交集成板２０は、第１の実施の形態の直交集成板１０に比べて、竹板の量を少なくすることができ経済的である。また、本実施の形態の直交集成板２０は、１方向（例えば長手方向）の強度を優先するような用途において特に好適である。また、本実施の形態の直交集成板２０によれば竹板の質量を全体の数％程度以下に抑えても充分に竹の特性を付加することが可能であり経済的である。また、本実施の形態の直交集成板２０は、従来の木材のみで構成される直交集成板と外形を同一にすることも容易であるため汎用性も備えている。
【００２１】
［第３の実施形態］
図３を用いて、本発明の第３の実施形態による直交集成板を説明する。図３は、直交集成板３０の斜視図である。図３に示すように、直交集成板３０は、平行層３１、直交層３２、及び平行層３３を有し、上からこの順番にこれらを積層接着することで形成される。また、直交集成板３０は、３層以上の平行層や２層以上の直交層を有する場合があってもよいし、平行層を連続して積層する場合や直交層を連続して積層する場合があってもよい。なお、各層の積層接着に用いる接着剤としては、たんぱく質系接着剤、合成樹脂系接着剤、合成ゴム系接着剤等が用いられる。
【００２２】
平行層３１、３３のそれぞれは、木材で構成される複数（本実施の形態では３個）の木板ａ１と竹材で構成される複数（本実施の形態では４個）の竹板ｂ１を有する。複数の木板ａ１の木質の繊維方向と複数の竹板ｂ１の竹質の繊維方向のそれぞれが互いに略平行（±４５°の範囲内）となるように複数の木板ａ１と複数の竹板ｂ１が弱軸方向に並べられる。また、平行層３１、３３は、木板ａ１の長手方向の端面と竹板ｂ１の長手方向の端面とを接着する箇所と木板ａ１の長手方向の端面同士を接着する箇所と竹板ｂ１の長手方向の端面同士を接着する箇所とを有している。このため、平行層３１、３３は、木板ａ１と木板ａ１の間に竹板ｂ１が配設される箇所と木板ａ１と木板ａ１の間に竹板ｂ１が配設されない箇所とを有することになる。また、木板や竹板の接着に用いる接着剤としては、たんぱく質系接着剤、合成樹脂系接着剤、合成ゴム系接着剤等が用いられる。また、木板ａ１は、複数の小角材で構成されてもよいし、竹板ｂ１は、複数の小角材で構成されてもよい。
【００２３】
直交層３２は、木材で構成される複数（本実施の形態では３個）の木板ａ２と竹材で構成される複数（本実施の形態では４個）の竹板ｂ２を有する。複数の木板ａ２の木質の繊維方向と複数の竹板ｂ２の竹質の繊維方向のそれぞれが互いに略平行（±４５°の範囲内）となるように複数の木板ａ２と複数の竹板ｂ２が強軸方向に並べられる。また、直交層３２は、木板ａ２の長手方向の端面と竹板ｂ２の長手方向の面とを接着する箇所と木板ａ２の長手方向の端面同士を接着する箇所と竹板ｂ２の長手方向の面同士を接着する箇所とを有している。このため、直交層３２は、木板ａ２と木板ａ２の間に竹板ｂ２が配設される箇所と木板ａ２と木板ａ２の間に竹板ｂ２が配設されない箇所とを有することになる。また、木板や竹板の接着に用いる接着剤としては、たんぱく質系接着剤、合成樹脂系接着剤、合成ゴム系接着剤等が用いられる。また、木板ａ２は、複数の小角材で構成されてもよいし、竹板ｂ２は、複数の小角材で構成されてもよい。また、直交層３２の木板ａ２の木質の繊維方向、及び竹板ｂ２の竹質の繊維方向は、平行層３１、３３の木板ａ１の木質の繊維方向、及び竹板ｂ１の竹質の繊維方向に対して略直角となるように構成される。なお、直交層３２は、木材ａ２のみで構成される場合があってもよい。
【００２４】
このように本実施の形態の直交集成板３０は、平行層及び直交層に木板及び竹板が用いられる。本実施の形態の直交集成板３０のように木板及び竹板を用いることで、従来の木材のみで構成される直交集成板に竹の持つ繊維強度が付加されるとともに、竹の特性である水分含有時の寸法安定性も向上する。このため、直交集成板３０は、水分を含有し易い場所（例えば、風呂場や台所等）の建材として好適に用いられる。また、本実施の形態の直交集成板３０は、木板と木板の間に竹板が配設されるため、竹板が緩衝材としても機能する。このため、本実施の形態による直交集成板３０によれば、従来の木材のみで構成される直交集成板に比べて、衝撃による耐久性が向上する構成であるとともに曲げ加工等の加工し易さも向上する場合がある。また、本実施の形態の直交集成板３０は、木板の端面に竹板が配設されるため、木板に対する防虫効果もある。また、本実施の形態の直交集成板３０によれば竹板の質量を全体の数％程度以下に抑えても充分に竹の特性を付加することが可能であり経済的である。また、本実施の形態の直交集成板３０は、従来の木材のみで構成される直交集成板と外形を同一にすることも容易であるため汎用性も備えている。
【００２５】
［第４の実施形態］
図４を用いて、本発明の第４の実施形態による直交集成板を説明する。図４は、直交集成板４０の斜視図である。図４に示すように、直交集成板４０は、平行層４１、直交層４２、及び平行層４３を有し、上からこの順番にこれらを積層接着することで形成される。また、直交集成板４０は、３層以上の平行層や２層以上の直交層を有する場合があってもよいし、平行層を連続して積層する場合や直交層を連続して積層する場合があってもよい。なお、各層の積層接着に用いる接着剤としては、たんぱく質系接着剤、合成樹脂系接着剤、合成ゴム系接着剤等が用いられる。
【００２６】
平行層４１は、竹材で構成される複数（本実施の形態では６個）の竹板ｂ１のみで構成される。複数の竹板ｂ１の竹質の繊維方向が互いに略平行（±４５°の範囲内）となるように竹板ｂ１を弱軸方向に並べ竹板ｂ１の長手方向の端面同士を接着する。また、竹板ｂ１のみで構成された平行層４１は、最も外側の表層となる。また、竹板の接着に用いる接着剤としては、たんぱく質系接着剤、合成樹脂系接着剤、合成ゴム系接着剤等が用いられる。また、竹板ｂ１は、複数の小角材で構成されてもよい。
【００２７】
平行層４２は、木材で構成される複数（本実施の形態では３個）の木板ａ１のみで構成される。複数の木板ａ１の木質の繊維方向が互いに略平行（±４５°の範囲内）となるように木板ａ１を弱軸方向に並べて、木板ａ１の長手方向の端面同士を接着する。また、木板の接着に用いる接着剤としては、たんぱく質系接着剤、合成樹脂系接着剤、合成ゴム系接着剤等が用いられる。また、木板ａ１は、複数の小角材で構成されてもよい。
【００２８】
直交層４２は、竹材で構成される複数（本実施の形態では７個）の竹板ｂ２のみで構成される。複数の竹板ｂ２の竹質の繊維方向が互いに略平行（±４５°の範囲内）となるように竹板ｂ２を強軸方向に並べ竹板ｂ２の長手方向の端面同士を接着する。また、竹板の接着に用いる接着剤としては、たんぱく質系接着剤、合成樹脂系接着剤、合成ゴム系接着剤等が用いられる。また、直交層４２の竹板ｂ２の竹質の繊維方向は、平行層４１の竹板ｂ１の竹質の繊維方向、及び平行層４２の木板ａ１の木質の繊維方向に対して略直角となるように構成される。また、竹板ｂ２は、複数の小角材で構成されてもよい。なお、直交集成板４０は、表面側と裏面側の層が竹板のみで構成された平行層で構成され、その内側の層は、木板のみで構成された平行層と直交層が積層される構成であってもよい。
【００２９】
このように本実施の形態の直交集成板４０は、平行層に木板及び竹板が用いられ、直交層に竹板が用いられる。本実施の形態の直交集成板４０のように木板及び竹板を用いることで、従来の木材のみで構成される直交集成板に竹の持つ繊維強度が付加されるとともに、竹の特性である水分含有時の寸法安定性も向上する。このため、直交集成板４０は、水分を含有し易い場所（例えば、風呂場や台所等）の建材として好適に用いられる。また、本実施の形態の直交集成板４０は、直交層に竹板のみを用いることで、従来の木材のみで構成される直交集成板に比べて、弱軸方向の強度を維持あるいは強化しつつも全体の軽量化も実現できる。また、本実施の形態の直交集成板４０は、表層が竹板のみで構成されるため、抗菌や消臭効果も奏することになる。また、本実施の形態の直交集成板４０は、従来の木材のみで構成される直交集成板と外形を同一にすることも容易であるため汎用性も備えている。
【００３０】
［第５の実施形態］
図５を用いて、本発明の第５の実施形態による直交集成板を説明する。図５は、直交集成板５０の斜視図である。図５に示すように、直交集成板５０は、平行層５１、直交層５２、及び平行層５３を有し、上からこの順番にこれらを積層接着することで形成される。平行層５１の上面を覆うように竹の繊維を含有する樹脂ボードｃ１を表面層として接着し、平行層５３の下面を覆うように竹の繊維を含有する樹脂ボードｃ１を裏面層として接着している。また、直交集成板５０は、３層以上の平行層や２層以上の直交層を有する場合があってもよいし、平行層を連続して積層する場合や直交層を連続して積層する場合があってもよい。なお、各層の積層接着に用いる接着剤としては、たんぱく質系接着剤、合成樹脂系接着剤、合成ゴム系接着剤等が用いられる。
【００３１】
表層に用いる竹の繊維を含有する樹脂ボードｃ１は、竹から竹の繊維を取り出し、取り出した竹の繊維を熱硬化性樹脂に混ぜることで形成される。熱硬化性樹脂には、例えば、イソシアネート系、フェノール系、ユリア系、メラミン系、アルキド系等の樹脂を用いてもよい。また、表層に用いる樹脂ボードｃ１は、竹の繊維を絡ませるように構成する。樹脂ボードｃ１は、例えば、１０センチ角に少なくとも１００本以上の竹の繊維が絡ませるように構成されている。また、樹脂ボードｃ１に含有される竹の繊維の本数が多いほどより好適である。また、表層に用いる樹脂ボードｃ１は、竹のチップ（例えば、大きさが５ミリ角〜５０ミリ角のもの）や竹を粉砕した粉末（例えば、大きさが５ミリ角以下のもの）を有する場合があってもよいし、木材（例えばスギ、ヒノキ、スプルース、ファー、ラジアータパイン等の針葉樹や、シラカバ、アピトン、カメレレ、センゴン、ラウト、アスペン等の広葉樹）の繊維や、木のチップ（例えば、大きさが５ミリ角〜５０ミリ角のもの）や木材を粉砕した粉末（例えば、大きさが５ミリ角以下のもの）を有する場合があってもよい。
【００３２】
平行層５１、５３のそれぞれは、木材で構成される複数（本実施の形態では３個）の木板ａ１のみで構成される。複数の木板ａ１の木質の繊維方向が互いに略平行（±４５°の範囲内）となるように木板ａ１を弱軸方向に並べて、木板ａ１の長手方向の端面同士を接着する。また、木板の接着に用いる接着剤としては、たんぱく質系接着剤、合成樹脂系接着剤、合成ゴム系接着剤等が用いられる。また、木板ａ１は、複数の小角材で構成されてもよい。
【００３３】
直交層５２は、木材で構成される複数（本実施の形態では３個）の木板ａ２のみで構成される。複数の木板ａ２の木質の繊維方向が互いに略平行（±４５°の範囲内）となるように木板ａ２を強軸方向に並べて、木板ａ２の長手方向の端面同士を接着する。また、木板の接着に用いる接着剤としては、たんぱく質系接着剤、合成樹脂系接着剤、合成ゴム系接着剤等が用いられる。また、直交層５２の木板ａ２の木質の繊維方向は、平行層５１、５３の木板ａ１の木質の繊維方向に対して略直角となるように構成される。また、木板ａ２は、複数の小角材で構成されてもよい。
【００３４】
このように本実施の形態の直交集成板５０は、表層に竹の繊維を有する樹脂ボードｃ１が用いられる。樹脂ボードｃ１に含有される竹の繊維を絡ませるように構成することで樹脂ボードｃ１の強度を向上させるとともに樹脂ボードｃ１の衝撃による耐久性も向上させている。また、本実施の形態の直交集成板５０は、従来の木材のみで構成される直交集成板と外形を同一にすることも容易であるため汎用性も備えている。
【００３５】
［第６の実施形態］
図６を用いて、本発明の第６の実施形態による直交集成板を説明する。図６は、直交集成板６０の斜視図である。図６に示すように、直交集成板６０は、平行層６１、直交層６２、及び平行層６３を有し、上からこの順番にこれらを積層接着することで形成される。また、直交集成板６０は、３層以上の平行層や２層以上の直交層を有する場合があってもよいし、平行層を連続して積層する場合や直交層を連続して積層する場合があってもよい。なお、各層の積層接着に用いる接着剤としては、たんぱく質系接着剤、合成樹脂系接着剤、合成ゴム系接着剤等が用いられる。
【００３６】
平行層６１、６３のそれぞれは、竹材で構成される複数（本実施の形態では６個）の竹板ｂ１のみで構成される。複数の竹板ｂ１の竹質の繊維方向が互いに略平行（±４５°の範囲内）となるように竹板ｂ１を弱軸方向に並べ竹板ｂ１の長手方向の端面同士を接着する。また、竹板ｂ１のみで構成された平行層６１、６３は、最も外側の表層となる。また、竹板の接着に用いる接着剤としては、たんぱく質系接着剤、合成樹脂系接着剤、合成ゴム系接着剤等が用いられる。また、竹板ｂ１は、複数の小角材で構成されてもよい。
【００３７】
直交層６２は、竹材で構成される複数（本実施の形態では７個）の竹板ｂ２のみで構成される。複数の竹板ｂ２の竹質の繊維方向が互いに略平行（±４５°の範囲内）となるように竹板ｂ２を強軸方向に並べ竹板ｂ２の長手方向の端面同士を接着する。また、竹板の接着に用いる接着剤としては、たんぱく質系接着剤、合成樹脂系接着剤、合成ゴム系接着剤等が用いられる。また、直交層６２の竹板ｂ２の竹質の繊維方向は、平行層６１、６２の竹板ｂ１の竹質の繊維方向に対して略直角となるように構成される。また、竹板ｂ２は、複数の小角材で構成されてもよい。
【００３８】
このように本実施の形態の直交集成板６０は、平行層及び直交層が竹板のみで構成される。本実施の形態の直交集成板６０は、従来の木材のみで構成される直交集成板と比較して強度（圧縮強度、引張強度、曲げ強度等）や水分含有時の寸法安定性も向上するし、衝撃による耐久性が向上するとともに曲げ加工等の加工し易さも向上する。また、防虫効果や消臭効果も奏するし、軽量化を図ることもできる。また、従来の木材のみで構成される直交集成板と外形を同一にすることも容易であるため汎用性も備えている。
【００３９】
また、上述の実施の形態は、本発明の好適な一例であるので、技術的に好ましい種々の限定が付されているが、本発明の範囲は、上述の説明によって不当に限定されるものではない。また、上述の実施の形態で説明される構成の全てが本発明の必須の構成要件ではない。また、上述の実施の形態で説明される構成は相互に付け足したり組み合わせたりしてもよい。付け足しの一例をあげると、第１〜第６の実施の形態（第５の実施の形態を除く）に示した直交集成板において、第５の実施の形態で説明した樹脂ボードｃ１を付け足してもよいし、組み合わせの一例をあげると、第１の実施の形態に示した直交集積板１０において、平行層１１及び／または平行層１３を第３の実施の形態で説明した平行層３１または平行層３２に置換してもよいし、第４の実施の形態で説明した平行層４１または平行層４２に置換してもよい。
【産業上の利用可能性】
【００４０】
本発明は、直交集成板において広く利用可能である。
【符号の説明】
【００４１】
１０、２０、３０、４０、５０、６０  直交集成板
１１、１３、２１、２３、３１、３３、４１、４３、５１、５３、６１、６３  平行層
１２、２２、３２、４２、５２、６２  直交層
ａ１、ａ２  木板
ｂ１、ｂ２  竹板
ｃ１  樹脂ボード
【図１】
2018086816.tif 000003
【図２】
2018086816.tif 000004
【図３】
2018086816.tif 000005
【図４】
2018086816.tif 000006
【図５】
2018086816.tif 000007
【図６】
2018086816.tif 000008